(57)【要約】【課題】  簡易組合せ式ラック及びその引出しの提供。【解決手段】  折り畳みフレーム本体と載置本体を具え、折り畳みフレーム本体が複数のＸ軸サポートフレーム、Ｙ軸サポートフレーム及びＺ軸サポートフレームで構成されて複数の載置空間を形成し、複数の接合部によりＸ軸及びＺ軸サポートフレームが結合され、並びにＸ軸とＹ軸サポートフレームがＺ軸サポートフレームに沿って回転可能とされ、該載置本体は載置空間の底面の二つのＸ軸サポートフレームの間に位置し、且つ該載置主体はＸ軸載置フレームとＹ軸載置フレームで構成され、各Ｘ軸サポートフレームが複数の固定溝を具え、且つ各載置本体のＹ軸載置フレームの両端部が相互に対応する円弧形とされ、Ｙ軸載置フレームの両端部がこれら固定溝に挿入されて折り畳みフレーム本体のＹ軸方向の支持を提供する。且つ、本考案は簡易組合せ式ラックの該載置空間に放置可能な引出し構造を提供する。【選択図】        図１３
0003103776.tif 000002
【実用新案登録請求の範囲】
【請求項１】
折り畳みフレーム本体と載置本体を具えた簡易組合せ式ラックにおいて、折り畳みフレーム本体が複数のＸ軸サポートフレーム、Ｙ軸サポートフレーム及びＺ軸サポートフレームで構成されて複数の載置空間を形成し、複数の接合部によりＸ軸及びＺ軸サポートフレームが結合され、並びにＸ軸とＹ軸サポートフレームがＺ軸サポートフレームに沿って回転可能とされ、該載置本体は載置空間の底面の二つのＸ軸サポートフレームの間に位置し、且つ該載置主体はＸ軸載置フレームとＹ軸載置フレームで構成され、各Ｘ軸サポートフレームが複数の固定溝を具え、且つ各載置本体のＹ軸載置フレームの両端部が相互に対応する円弧形とされ、Ｙ軸載置フレームの両端部がこれら固定溝に挿入されて折り畳みフレーム本体のＹ軸方向の支持を提供する。且つ、本考案は簡易組合せ式ラックの該載置空間に放置可能な引出し構造を提供するよう形成されたことを特徴とする、簡易組合せ式ラック。
【請求項２】
請求項１記載の簡易組合せ式ラックにおいて、簡易組合せ式ラックが梯子状を呈することを特徴とする、簡易組合せ式ラック。
【請求項３】
請求項１記載の簡易組合せ式ラックにおいて、簡易組合せ式ラックが折り畳みフレーム本体の各Ｙ軸サポートフレームの底端に位置するキャスタを具えたことを特徴とする、簡易組合せ式ラック。
【請求項４】
請求項１記載の簡易組合せ式ラックにおいて、簡易組合せ式ラックの折り畳みフレーム本体の上面に天板が設けられたことを特徴とする、簡易組合せ式ラック。
【請求項５】
複数の側壁面框と底面框が複数の連接部で相互に接合されてなる収容空間ボーンフレームを具え、該収容空間ボーンフレームにあって編成されることで引出しが形成された簡易組合せ式ラックの引出しにおいて、各連接部が略逆Ｕ形を呈し、並びに係合ブロックを具え、各側壁面框の垂直サポートフレームは中空管状であり、該垂直サポートフレームの管口にＵ形切欠きが設けられて該連接部の係合ブロックと相互に嵌合可能であり、これによりこれら側壁面框が固定され、及び複数のＵ形サポートクリップが該底面框を支持し、各Ｕ形サポートクリップが長形支持部を具えて該底面框を支持することを特徴とする、簡易組合せ式ラックの引出し。
【請求項６】
請求項５記載の簡易組合せ式ラックの引出しにおいて、上蓋框を具え、且つそのうちの二つの連接部が回転部を具え、該回転部は上蓋框の水平サポートフレームと相互に結合され、並びに該上蓋框が水平サポートフレームの軸方向に沿って回転可能とされたことを特徴とする、簡易組合せ式ラックの引出し。
【請求項７】
請求項５記載の簡易組合せ式ラックの引出しにおいて、引出し内部に置かれる内カバーを具えたことを特徴とする、簡易組合せ式ラックの引出し。
【考案の詳細な説明】
【技術分野】
【０００１】
本考案は一種のラックとその引出し構造に係り、特に、一種の簡易組合せ式ラックとその引出し構造に関するものであり、且つ、該ラックと引出し構造は折り畳み可能である。
【背景技術】
【０００２】
現在一般のラック、特に籐製の引出しを具えたラックは、ほとんどが固定フレームとされ、使用者が自分で組み立てることはできない。しかし、現在、市場には多くの家具売場があり、その販売する家具はＤＩＹ（自分で組み立てる）のが主流である。このため、使用者は自分で伝統的なラック及びその引出しを運搬することができず、運送費が多くかかる。このように、使用者の費用が増し、且つ使用者が分解して再度組み立てるのも非常に難しい。
【０００３】
このほか、現在既に数種類の組合せ式引出しが提供されている。例えば、本件出願人による特許文献１に記載の簡易組合せ式引出し構造は、複数の中空の管体を具え、並びに各管体が組み合わされて複数のフレームが形成され、各管体間に複数の條体が設けられ、各フレームが複数の壁片を形成し、各壁片間の相互連結により、収容空間を具えた框座が形成されている。その特徴は、底壁両端に垂直に二つの矩形壁が設置され、該矩形壁の二つの管体の一端内に一体に二つの凸点が延設され、並びに底壁と矩形壁の二つの相互に隣接する管体内に連結ピンが挿入され、該連結ピンは略ｙ形を呈し、そのうちの一端の脚の側縁に二つの係止部が設けられ、連結ピンの別端が上に折り曲げられてＬ形の位置決め脚が形成され、且つ連結ピンの係止部の端角が矩形壁の管体内に挿入され、係止部と凸点が相互に係合させられ、その後、底壁の両側に垂直に二つの側壁が設けられ、且つ連結ピンの位置決め脚が側壁の管体内に挿入され、さらに両側壁の管体上方に二つの逆ｕ形條が挿入され、各フレームが相互に連結されて一体とされる。該框座は簡単に組立と分解が可能であるほか、框座が分解される時に両側壁を取り外すだけでよく、並びに二つの矩形壁を内向きに折れば、分解後の壁片を積み重ねて一体となして収納に供される。次に使用する時は框座を速やかに接続して一体となすことができる。
【０００４】
周知の簡易組合せ式ラック及びその引出し構造は多くあり、それぞれその構造の特徴を有しているが、本考案は新たな構造を提供し、簡単に組み立てられ、且つラックの全体美観を維持できるようにする。
【０００５】
【特許文献１】台湾特許公告第５２５４５０号明細書
【考案の開示】
【考案が解決しようとする課題】
【０００６】
本考案の主要な目的は、一種の簡易組合せ式ラック及びその引出しを提供することにある。本考案の次の目的は、折り畳み式の組合せ式ラック及びその引出しを提供することにある。
【０００７】
本考案の提供する簡易組合せ式ラックは、折り畳みフレーム本体と載置本体を具え、折り畳みフレーム本体が複数のＸ軸サポートフレーム、Ｙ軸サポートフレーム及びＺ軸サポートフレームで構成されて複数の載置空間を形成し、複数の接合部によりＸ軸及びＺ軸サポートフレームが相互に結合され、並びにＸ軸とＹ軸サポートフレームがＺ軸サポートフレームに沿って回転可能とされる。該載置本体は載置空間の底面の二つのＸ軸サポートフレームの間に位置し、且つ該載置主体はＸ軸載置フレームとＹ軸載置フレームで構成され、各Ｘ軸サポートフレームが複数の固定溝を具え、且つ各載置本体のＹ軸載置フレームの両端部が相互に対応する円弧形とされ、Ｙ軸載置フレームの両端部がこれら固定溝に挿入されて折り畳みフレーム本体のＹ軸方向の支持を提供する。且つ、本考案は簡易組合せ式ラックの該載置空間に放置可能な引出しを提供する。該引出しは、複数の側壁面框と底面框が複数の連接部で相互に接合されてなる収容空間ボーンフレームを具え、該収容空間ボーンフレームにあって編成されることで引出しが形成される。その特徴は、各連接部が略逆Ｕ形を呈し、並びに係合ブロックを具え、各側壁面框の垂直サポートフレームは中空管状であり、該垂直サポートフレームの管口にＵ形切欠きが設けられて該連接部の係合ブロックと相互に嵌合可能であり、これによりこれら側壁面框が固定される。及び複数のＵ形サポートクリップが該底面框を支持し、各Ｕ形サポートクリップが長形支持部を具えて該底面框を支持することにある。
【課題を解決するための手段】
【０００８】
請求項１の考案は、折り畳みフレーム本体と載置本体を具えた簡易組合せ式ラックにおいて、折り畳みフレーム本体が複数のＸ軸サポートフレーム、Ｙ軸サポートフレーム及びＺ軸サポートフレームで構成されて複数の載置空間を形成し、複数の接合部によりＸ軸及びＺ軸サポートフレームが結合され、並びにＸ軸とＹ軸サポートフレームがＺ軸サポートフレームに沿って回転可能とされ、該載置本体は載置空間の底面の二つのＸ軸サポートフレームの間に位置し、且つ該載置主体はＸ軸載置フレームとＹ軸載置フレームで構成され、各Ｘ軸サポートフレームが複数の固定溝を具え、且つ各載置本体のＹ軸載置フレームの両端部が相互に対応する円弧形とされ、Ｙ軸載置フレームの両端部がこれら固定溝に挿入されて折り畳みフレーム本体のＹ軸方向の支持を提供するとしている。且つ、本考案は簡易組合せ式ラックの該載置空間に放置可能な引出し構造を提供するよう形成されたことを特徴とする、簡易組合せ式ラックとしている。
請求項２の考案は、請求項１記載の簡易組合せ式ラックにおいて、簡易組合せ式ラックが梯子状を呈することを特徴とする、簡易組合せ式ラックとしている。
請求項３の考案は、請求項１記載の簡易組合せ式ラックにおいて、簡易組合せ式ラックが折り畳みフレーム本体の各Ｙ軸サポートフレームの底端に位置するキャスタを具えたことを特徴とする、簡易組合せ式ラックとしている。
請求項４の考案は、請求項１記載の簡易組合せ式ラックにおいて、簡易組合せ式ラックの折り畳みフレーム本体の上面に天板が設けられたことを特徴とする、簡易組合せ式ラックとしている。
請求項５の考案は、複数の側壁面框と底面框が複数の連接部で相互に接合されてなる収容空間ボーンフレームを具え、該収容空間ボーンフレームにあって編成されることで引出しが形成された簡易組合せ式ラックの引出しにおいて、各連接部が略逆Ｕ形を呈し、並びに係合ブロックを具え、各側壁面框の垂直サポートフレームは中空管状であり、該垂直サポートフレームの管口にＵ形切欠きが設けられて該連接部の係合ブロックと相互に嵌合可能であり、これによりこれら側壁面框が固定され、及び複数のＵ形サポートクリップが該底面框を支持し、各Ｕ形サポートクリップが長形支持部を具えて該底面框を支持することを特徴とする、簡易組合せ式ラックの引出しとしている。
請求項６の考案は、請求項５記載の簡易組合せ式ラックの引出しにおいて、上蓋框を具え、且つそのうちの二つの連接部が回転部を具え、該回転部は上蓋框の水平サポートフレームと相互に結合され、並びに該上蓋框が水平サポートフレームの軸方向に沿って回転可能とされたことを特徴とする、簡易組合せ式ラックの引出しとしている。
請求項７の考案は、請求項５記載の簡易組合せ式ラックの引出しにおいて、引出し内部に置かれる内カバーを具えたことを特徴とする、簡易組合せ式ラックの引出しとしている。
【考案の効果】
【０００９】
本考案は、簡易組合せ式ラック及びその引出しがいずれも折り畳み式とされ、これによりその包装体積を縮小でき、使用者が自分で組み立てるのに便利である。且つ、この簡易組合せ式ラック及びその引出しは極めて簡単な構造により達成され、これにより使用者は簡単に組立を完成できる。
【考案を実施するための最良の形態】
【００１０】
図１及び図２を参照されたい。本考案の簡易組合せ式ラックは、折り畳みフレーム本体１と載置本体２を具え、図１は折り畳みフレーム本体１の折り畳み状態を示す。
【００１１】
折り畳みフレーム本体１は、図２に示されるように、複数のＸ軸サポートフレーム１１、Ｙ軸サポートフレーム１２及びＺ軸サポートフレーム１３で構成されて複数の載置空間を形成し、複数の接合部１０によりＸ軸及びＺ軸サポートフレーム１１、１３が相互に結合され、該Ｙ軸サポートフレーム１２は好ましくはＺ軸サポートフレーム１３と一体に結合される。図４の局部拡大図に示されるように、これらの接合部１０による結合により、Ｘ軸とＹ軸サポートフレーム１１、１２がＺ軸サポートフレーム１３に沿って回転可能とされる。
【００１２】
図３に示されるように、該載置本体２は、載置空間の底面の二つのＸ軸サポートフレーム１１の間に位置し、且つ該載置本体２はＸ軸載置フレーム２１とＹ軸載置フレーム２２で構成される。前述の各Ｘ軸サポートフレーム１１は複数の固定溝１１０を具え、図５の局部拡大図に示されるようであり、且つ各載置本体２のＹ軸載置フレーム２２の両端部２２０が相互に対応する円弧形とされ、Ｙ軸載置フレーム２２の両端部２２０がこれら固定溝１１０に挿入される。各載置本体２の好ましい形状は図３に示されるように梯子状であり、これにより折り畳みフレーム本体１のＹ軸方向の支持を提供する。
【００１３】
好ましくは、図１から図３に示されるように、折り畳みフレーム本体１は折り畳みフレーム本体１のＹ軸サポートフレーム１３の底端に更に複数のキャスタ１４を具えている。このほか、実用性を増すため、本考案は更に天板１５を具え、それは折り畳みフレーム本体１の上面に位置する。該天板１５と折り畳みフレーム本体１の最上面のＸ軸サポートフレーム１１は相互に嵌合される。
【００１４】
続いて、図６から図１２は本考案の簡易組合せ式ラックの引出しを示す。図６の引出しの組立図に示されるように、該引出し６は、複数の側壁面框６１と底面框６２が複数の連接部６３で相互に接合されてなる収容空間ボーンフレーム６０を具え（図９）、該収容空間ボーンフレーム６０にあって編成されることで引出し６が形成される（図１１）。
【００１５】
特に、各連接部６３、６３’（図７、８）が略逆Ｕ形を呈し、並びに係合ブロック６３１を具え、各側壁面框６１の垂直サポートフレーム６１１は中空管状であり、連接部６３、６３’の二つの挿入脚６３ａ、６３ｂがそれぞれ隣り合う側壁面框６１の垂直サポートフレーム６１１に挿入される。且つ、該垂直サポートフレーム６１１の管口にＵ形切欠き６１２が設けられて該連接部６３、６３’の係合ブロック６３１と相互に嵌合可能であり、これによりこれら側壁面框６１が固定される。これにより、これら側壁面框６１の組合せの後、折り畳んで空間を縮小可能である。
【００１６】
本考案の引出しはさらに上蓋框６５を具え、且つそのうちの二つの連接部６３’が回転部６４２を具え（図６、図７）、該回転部６４２は上蓋框６５の水平サポートフレーム６５１と相互に結合され（例えばネジＳを利用して固定される）、並びに該上蓋框６５が水平サポートフレーム６５１の軸方向に沿って回転可能である（図１０）。これにより、図１１に示されるように、使用者が不注意からゴミ等を引出しの開口より落とすことがない。
【００１７】
このほか、本考案は該底面框６２を支持する複数のＵ形サポートクリップ６４を提供している。各Ｕ形サポートクリップ６４は長形支持部６４１を具えて該底面框６２を支持する。実際の使用時（例えばすでにフレームの藤編が完成している）、使用者は組合せ完成した側壁面框６１を開き、さらに底面框６２をＵ形サポートクリップ６４に置けば、引出しが完成する（図９に示される収容空間ボーンフレーム６０の如し）。
【００１８】
さらに、図１２に示されるように、該引出し６はさらに内カバー６６を具え、それは引出し６内部に置かれる。内カバー６６は例えば粘着帯６６１を使用して内カバー６６が引出し６に固定される。内カバー６６により放置された物品が引出し６の藤編を傷つけるのを防止できる。
【００１９】
図１３は本考案の使用状態を示し、簡易組合せ式ラックの引出し６を簡易組合せ式ラック１に置いた状態を示す。これにより、本考案は簡易組合せ式ラック及びその引出しがいずれも折り畳み式とされ、これによりその包装体積を縮小でき、使用者が自分で組み立てるのに便利である。且つ、この簡易組合せ式ラック及びその引出しは極めて簡単な構造により達成され、これにより使用者は簡単に組立を完成できる。
【００２０】
以上の実施例は本考案の実施範囲を限定するものではなく、本考案に基づきなしうる細部の修飾或いは改変は、いずれも本考案の請求範囲に属するものとする。
【図面の簡単な説明】
【００２１】
【図１】本考案の折り畳みフレーム本体の折り畳み使用状態表示図である。
【図２】図１の展開使用状態表示図である。
【図３】本考案の折り畳みフレーム本体の好ましい実施例図である。
【図４】図２の符号ＩＶの局部拡大図である。
【図５】図３の符号Ｖの局部拡大図である。
【図６】本考案の簡易組合せ式ラックの引出しの分解組立表示図である。
【図７】本考案の連接部の局部拡大図である。
【図８】本考案の連接部の局部拡大図である。
【図９】図６の組立完成図である。
【図１０】図９の符号ＩＩＸの局部拡大右側面図である。
【図１１】本考案の引出しの好ましい実施例図である。
【図１２】本考案の引出しの別の実施例図である。
【図１３】本考案の好ましい実施例の立体図である。
【符号の説明】
【００２２】
１  折り畳みフレーム本体                  ２  載置本体
２１  Ｘ軸載置フレーム                    ２１０  端部
２２  Ｙ軸載置フレーム                    ６  引出し
６１  側壁面框                            ６１１  垂直サポートフレーム
６２  底面框                              ６３、６３’  連接部
６３ａ、６３ｂ  挿入脚                    ６３１  係合ブロック
６４２  回転部                            ６４  Ｕ形サポートクリップ
６４１  長形支持部                        ６５  上蓋框
６５１  水平サポートフレーム              ６６  内カバー
６６１  粘着帯                            １０  接合部
１１  Ｘ軸サポートフレーム                １１０  固定溝
１２  Ｙ軸サポートフレーム                １３  Ｚ軸サポートフレーム
１４  キャスタ                            １５  天板
６０  収容空間ボーンフレーム              Ｓ  ネジ
【図１】
0003103776.tif 000003
【図２】
0003103776.tif 000004
【図３】
0003103776.tif 000005
【図４】
0003103776.tif 000006
【図５】
0003103776.tif 000007
【図６】
0003103776.tif 000008
【図７】
0003103776.tif 000009
【図８】
0003103776.tif 000010
【図９】
0003103776.tif 000011
【図１０】
0003103776.tif 000012
【図１１】
0003103776.tif 000013
【図１２】
0003103776.tif 000014
【図１３】
0003103776.tif 000015
【手続補正書】
【提出日】平成16年4月26日(2004.4.26)
【手続補正１】
【補正対象書類名】実用新案登録請求の範囲
【補正対象項目名】全文
【補正方法】変更
【補正の内容】
【実用新案登録請求の範囲】
【請求項１】
折り畳みフレーム本体と載置本体を具えた簡易組合せ式ラックにおいて、折り畳みフレーム本体が複数のＸ軸サポートフレーム、Ｙ軸サポートフレーム及びＺ軸サポートフレームで構成されて複数の載置空間を形成し、複数の接合部によりＸ軸及びＺ軸サポートフレームが結合され、並びにＸ軸とＹ軸サポートフレームがＺ軸サポートフレームに沿って回転可能とされ、該載置本体は載置空間の底面の二つのＸ軸サポートフレームの間に位置し、且つ該載置主体はＸ軸載置フレームとＹ軸載置フレームで構成され、各Ｘ軸サポートフレームが複数の固定溝を具え、且つ各載置本体のＹ軸載置フレームの両端部が相互に対応する円弧形とされ、Ｙ軸載置フレームの両端部がこれら固定溝に挿入されて折り畳みフレーム本体のＹ軸方向の支持を提供し、該載置空間に引出しが設けられたことを特徴とする、簡易組合せ式ラック。
【請求項２】
請求項１記載の簡易組合せ式ラックにおいて、簡易組合せ式ラックが梯子状を呈することを特徴とする、簡易組合せ式ラック。
【請求項３】
請求項１記載の簡易組合せ式ラックにおいて、簡易組合せ式ラックが折り畳みフレーム本体の各Ｙ軸サポートフレームの底端に位置するキャスタを具えたことを特徴とする、簡易組合せ式ラック。
【請求項４】
請求項１記載の簡易組合せ式ラックにおいて、簡易組合せ式ラックの折り畳みフレーム本体の上面に天板が設けられたことを特徴とする、簡易組合せ式ラック。
【請求項５】
請求項１記載の簡易組合せ式ラックにおいて、引出しが、複数の側壁面框と底面框が複数の連接部で相互に接合されてなる収容空間ボーンフレームを具え、該収容空間ボーンフレームにあって編成されることで引出しが形成された簡易組合せ式ラックの引出しにおいて、各連接部が略逆Ｕ形を呈し、並びに係合ブロックを具え、各側壁面框の垂直サポートフレームは中空管状であり、該垂直サポートフレームの管口にＵ形切欠きが設けられて該連接部の係合ブロックと相互に嵌合可能であり、これによりこれら側壁面框が固定され、及び複数のＵ形サポートクリップが該底面框を支持し、各Ｕ形サポートクリップが長形支持部を具えて該底面框を支持することを特徴とする、簡易組合せ式ラック。
【請求項６】
請求項５記載の簡易組合せ式ラックにおいて、上蓋框を具え、且つそのうちの二つの連接部が回転部を具え、該回転部は上蓋框の水平サポートフレームと相互に結合され、並びに該上蓋框が水平サポートフレームの軸方向に沿って回転可能とされたことを特徴とする、簡易組合せ式ラック。
【請求項７】
請求項５記載の簡易組合せ式ラックにおいて、引出し内部に置かれる内カバーを具えたことを特徴とする、簡易組合せ式ラック。